(57)【要約】【課題】映像採取装置を応用し、出力したい警告信号と採取した映像を結合する財産モニタリングシステムを提供する。【解決手段】財産モニタリングシステムは、映像採取装置を設置して使用し、出力したい警告信号と映像採取装置が採取した映像を結合してモニタリングセンターへ出力する。このため、被モニタリング物に異常が発生した時、モニタリングセンターの監視者は即時に移動した被モニタリング物の種類及び移動の方向を知る。更に無線トランスミッションは、被モニタリング物に異常が発生した時に初めて電源が入り、信号を伝送する。そのため、不必要な電気を節約し、使用寿命及び待機時間を延ばす。【選択図】図１
0003118587.tif 000002
【実用新案登録請求の範囲】
【請求項１】
映像採取装置を設置して使用し、本考案が出力したい警告信号と映像採取装置が採取した映像を結合し、モニタリングセンターへ出力する財産モニタリングシステムにおいて、  被モニタリング物に設置し、且つ少なくともひとつのセンサー装置には変位センサー、エンコーダ、発射回路及び電源装置を含み、該エンコーダには当被モニタリング物の特定エンコードが保存されるもので、当被モニタリング物が移動すると、変位センサーが始動し、電源装置が電源を供給してエンコーダへ送り、発射回路から特定エンコードが出力される少なくともひとつの無線トランスミッションと、
サーバ回路及びデコーダを含み、少なくともひとつの無線トランスミッションから受けた特定エンコードを受信し、デコーダでコードを解読し、解読後に信号を出力する無線サーバ、
解読後の信号を受けて、その信号を処理した後に被モニタリング物に対応する警告信号指令を出力するＣＰＵ、
映像採取装置が採取した映像及びその警告信号指令を受信し、指令デコーダ、映像信号カウンタ、映像メモリ、字形発射器及び合成器を含み、そのうち、指令デコーダが警告信号指令に対してコードを解読し、解読後、その指令に基づいて字形発射器から表示したい文字を出力し、映像信号カウンタがその文字を表示したい画面の座標値を映像メモリに保存し、合成器がその画面座標値に基づき、表示したい文字を映像採取装置が採取した映像に結合し、モニタリングセンターへ出力する映像信号合成器、を含み、映像採取装置に設置する信号処理装置から構成されることを特徴とする、財産モニタリングシステム。
【請求項２】
請求項１記載の財産モニタリングシステムにおいて、更に警報確認装置を含み、合成後の映像を受信し、同時信号分離器、レベルコンバータ及びＣＰＵを含み、且つこのＣＰＵは同時信号分離器及びレベルコンバータによって、この合成器が出力した映像を被モニタリング物に異常ありと判断した場合、ＣＰＵが警告信号を警報装置へ出力し、警報装置が始動することを特徴とする、財産モニタリングシステム。
【請求項３】
請求項２記載の財産モニタリングシステムにおいて、レベルコンバータは被モニタリング物の距離を判断することを特徴とする、財産モニタリングシステム。
【請求項４】
請求項２記載の財産モニタリングシステムにおいて、警報装置はブザーとすることを特徴とする、財産モニタリングシステム。
【請求項５】
請求項２記載の財産モニタリングシステムにおいて、警報装置は警告ライトとすることを特徴とする、財産モニタリングシステム。
【請求項６】
請求項１記載の財産モニタリングシステムにおいて、財産モニタリングシステムは警報装置を含み、ＣＰＵが被モニタリング物の警告信号表示指令を出力すると、同時に警報信号を出力して警報装置を駆動することを特徴とする、財産モニタリングシステム。
【請求項７】
請求項６記載の財産モニタリングシステムにおいて、警報装置は警告ライトとすることを特徴とする、財産モニタリングシステム。
【請求項８】
請求項６記載の財産モニタリングシステムにおいて、警報装置はブザーとすることを特徴とする、財産モニタリングシステム。
【請求項９】
請求項１記載の財産モニタリングシステムにおいて、無線トランスミッションは信号レーダとし、
外部周波数信号を受信する周波数サーバと、
濾過後の周波数信号を受信し、信号を拡大処理して出力する信号拡大器と、
拡大処理後の周波数信号を受信し、その周波数信号を直接基礎周波数に転換する直接転換サーバと、
レベル比較器を含み、そのうち、転換後の基礎周波数をレベル比較器に出力し、レベル設定値と比較して転換後の基礎周波数レベルが設定地よりも大きい時に、基礎周波数をＣＰＵへ出力し、そのＣＰＵが映像信号合成器を制御して異常信号文字を結合した映像をモニタリングセンターへ出力するデータコンバータを含むことを特徴とする、財産モニタリングシステム。
【請求項１０】
請求項１記載の財産モニタリングシステムにおいて、変位センサーは予め変位距離を設定し、被モニタリング物が設定距離より離れた時、特定エンコードを出力することを特徴とする、財産モニタリングシステム。
【請求項１１】
請求項１記載の財産モニタリングシステムにおいて、無線トランスミッションは、その外観サイズがＣＦカードの規格であることを特徴とする、財産モニタリングシステム。
【考案の詳細な説明】
【技術分野】
【０００１】
本考案は、財産モニタリングシステムに関するもので、映像採取装置を応用し、出力したい警告信号と採取した映像を結合するシステムである。
【背景技術】
【０００２】
公知の一般的な盗難防止型警報装置は、発射器と警報器が組み合わさったもので、そのうち、発射器は、物品上に設置し、警報機は出口に設置してセンサーし、物品が動かされていないか監視する。前述の盗難防止装置は理論上、盗難を防止する効果があることになるが、実際使用した場合、理論と異なる。例として泥棒がその物品を持って出口に行かない時や、発射器の電源を押し忘れた為に正常に使用できない時等は物品が盗まれる結果となる。単純な警報音は泥棒を驚かせるには不足する。
【０００３】
公知の別の盗難防止器は、発射器及び警報器から構成される。発射器は使用者が携帯し、警報器にはブザー及び通報器のスイッチが設置される。発射器と警報器の間の距離が設定した安全距離を超えた時、警報が作動してブザーが鳴る。しかし、この警報機の欠点は、警報器にスイッチが設置されているため、泥棒がそのスイッチを切ってしまえば、ブザーは作動せず、使用者の知らぬ間に盗まれてしまう。
【０００４】
更に現在の撮影モニタリングシステムは、監視者がモニタリング及び判別する。また、作業員が物品を持ち出しても確認ができない。例えば、博物館もしくは画廊の開放時間内に、泥棒が展示品を持ち出しても、監視員はモニター上で展示品が盗まれた事を知るだけで、モニタリング撮影システムは察知できず、警報を発することもない。もしも監視員が瞬時に異常を発見できなかったら、モニタリングは有効ではなく、被害を受けることになる。
【考案の開示】
【考案が解決しようとする課題】
【０００５】
解決しようとする問題点は、現在のモニタリングシステムは、監視者が監視、判別するものなので、監視員が瞬時に異常に気がつかなければ、盗難に遭う点である。
【課題を解決するための手段】
【０００６】
請求項１の考案は、映像採取装置を設置して使用し、本考案が出力したい警告信号と映像採取装置が採取した映像を結合し、モニタリングセンターへ出力する財産モニタリングシステムにおいて、
被モニタリング物に設置し、且つ少なくともひとつのセンサー装置には変位センサー、エンコーダ、発射回路及び電源装置を含み、そのエンコーダには当被モニタリング物の特定エンコードが保存されるもので、当被モニタリング物が移動すると、変位センサーが始動し、電源装置が電源を供給してエンコーダへ送り、発射回路から特定エンコードが出力される少なくともひとつの無線トランスミッションと、
サーバ回路及びデコーダを含み、少なくともひとつの無線トランスミッションから受けた特定エンコードを受信し、デコーダでコードを解読し、解読後に信号を出力する無線サーバ、
解読後の信号を受けて、その信号を処理した後に被モニタリング物に対応する警告信号指令を出力するＣＰＵ、
映像採取装置が採取した映像及びその警告信号指令を受信し、指令デコーダ、映像信号カウンタ、映像メモリ、字形発射器及び合成器を含み、そのうち、指令デコーダが警告信号指令に対してコードを解読し、解読後、その指令に基づいて字形発射器から表示したい文字を出力し、映像信号カウンタがその文字を表示したい画面の座標値を映像メモリに保存し、合成器がその画面座標値に基づき、表示したい文字を映像採取装置が採取した映像に結合し、モニタリングセンターへ出力する映像信号合成器、を含み、映像採取装置に設置する信号処理装置から構成されることを特徴とする、財産モニタリングシステムとしている。
請求項２の考案は、請求項１記載の財産モニタリングシステムにおいて、更に警報確認装置を含み、合成後の映像を受信し、同時信号分離器、レベルコンバータ及びＣＰＵを含み、且つこのＣＰＵは同時信号分離器及びレベルコンバータによって、この合成器が出力した映像を被モニタリング物に異常ありと判断した場合、ＣＰＵが警告信号を警報装置へ出力し、警報装置が始動することを特徴とする、財産モニタリングシステムとしている。
請求項３の考案は、請求項２記載の財産モニタリングシステムにおいて、レベルコンバータは被モニタリング物の距離を判断することを特徴とする、財産モニタリングシステムとしている。
請求項４の考案は、請求項２記載の財産モニタリングシステムにおいて、警報装置はブザーとすることを特徴とする、財産モニタリングシステムとしている。
請求項５の考案は、請求項２記載の財産モニタリングシステムにおいて、警報装置は警告ライトとすることを特徴とする、財産モニタリングシステムとしている。
請求項６の考案は、請求項１記載の財産モニタリングシステムにおいて、財産モニタリングシステムは警報装置を含み、ＣＰＵが被モニタリング物の警告信号表示指令を出力すると、同時に警報信号を出力して警報装置を駆動することを特徴とする、財産モニタリングシステムとしている。
請求項７の考案は、請求項６記載の財産モニタリングシステムにおいて、警報装置は警告ライトとすることを特徴とする、財産モニタリングシステムとしている。
請求項８の考案は、請求項６記載の財産モニタリングシステムにおいて、警報装置はブザーとすることを特徴とする、財産モニタリングシステムとしている。
請求項９の考案は、請求項１記載の財産モニタリングシステムにおいて、無線トランスミッションは信号レーダとし、
外部周波数信号を受信する周波数サーバと、
濾過後の周波数信号を受信し、信号を拡大処理して出力する信号拡大器と、
拡大処理後の周波数信号を受信し、その周波数信号を直接基礎周波数に転換する直接転換サーバと、
レベル比較器を含み、そのうち、転換後の基礎周波数をレベル比較器に出力し、レベル設定値と比較して転換後の基礎周波数レベルが設定地よりも大きい時に、基礎周波数をＣＰＵへ出力し、そのＣＰＵが映像信号合成器を制御して異常信号文字を結合した映像をモニタリングセンターへ出力するデータコンバータを含むことを特徴とする、財産モニタリングシステムとしている。
請求項１０の考案は、請求項１記載の財産モニタリングシステムにおいて、変位センサーは予め変位距離を設定し、被モニタリング物が設定距離より離れた時、特定エンコードを出力することを特徴とする、財産モニタリングシステムとしている。
請求項１１の考案は、請求項１記載の財産モニタリングシステムにおいて、無線トランスミッションは、その外観サイズがＣＦカードの規格であることを特徴とする、財産モニタリングシステムとしている。
【考案の効果】
【０００７】
本考案の財産モニタリングシステムは、下述の利点がある。
本考案は、被モニタリング物が異常移動した時、信号処理装置の無線トランスミッションの受信範囲に於いて、モニタリングセンターの警備員は即時被移動モニタリング物の異種類と移動の方向を知ることができる。本考案は、直接現在あるモニタリングシステムネットに応用でき、即座に有効にモニタリングし、配線を増やす必要がなく、元のモニタリング撮影設備も廃棄、更新する必要がない。
【０００８】
本考案の無線トランスミッションは、被モニタリング物が移動された時に初めて電源が入って伝送動作を開始する。そのため、不必要な電気を使う必要がなく、使用寿命及び待機時間を延ばす。
【０００９】
警報確認装置によって、モニタリングセンターの警備員が警報信号を見過ごしてしまうのを防止し、即座に被モニタリング物の異常状況を知り、財産の盗難を防止する。
【考案を実施するための最良の形態】
【００１０】
本考案は、無線トランスミッション１０、信号処理装置２０を含む。無線トランスミッション１０は、被モニタリング物７０に設置し、外観のサイズは、ＣＦカードサイズが望ましい。図３に示すとおり、無線トランスミッション１０は、変位センサー１１、エンコーダ１２、発射回路１３及び電源装置１４を含む。本実施例では、エンコーダ１２には被モニタリング物７０の特定エンコードを代表して保存する。ここでは被モニタリング物７０は、美術作品とする。使用者は自分でこの美術作品の特定エンコードを設定する。そのため、この被モニタリング物７０が場所を移動した場合、変位センサー１１が被モニタリング物７０が移動したことをキャッチして変位センサー１１が電源装置１４を始動させ、その電源をエンコーダ１２へ流し、エンコーダ１２が被モニタリング物７０の特定エンコードを発射回路１３から発射させる。本実施例において、被モニタリング物７０が移動されていない状況時、変位センサー１１は稼動せず、電源を節約する。
【００１１】
更に変位センサー１１には、予め変位距離を設定する。例として変位距離を１０ｃｍに設定する。もしも被モニタリング物７０が１０ｃｍを超えて移動した時、被モニタリング物７０の特定エンコードを出力する。この変位距離設定は、被モニタリング物７０が僅かに振動して動いた時に警報信号が発動することを防止し、モニタリングセンター４０の作業員の誤判を有効に減少させる。
【００１２】
本実施例において、信号処理装置２０には、映像採取装置３０が設置され、その映像採取装置３０は、モニタリングシステムの撮影機が望ましい。この信号処理装置２０は、無線サーバ２１、ＣＰＵ２２、映像信号合成器２３及び電源装置２４を含む。図４に示すとおり、無線サーバ２１は、サーバ回路２１１、デコーダ２１２を含み、無線サーバ２１が無線トランスミッションから出力された特定エンコードを受信した時、無線サーバ２１は受信した特定エンコードをデコーダ２１２に送ってコードを解読する。デコーダ２１２がコードを解読した後、被モニタリング物７０のデータ、例として０１０１１０１０等ＣＰＵ２２が受信できるデータ形式を出力する。更にＣＰＵ２２がコード解読後の信号を受信した時、この信号に基づき、信号処理の動作を行う。例としてデコーダ２１２が出力したデータに基づきデータ処理し、更に被モニタリング物７０の警報信号モニター指令に対応して映像信号合成器２３へ出力する。この他、財産モニタリングシステムは警報装置２０１を含み、映像採取装置３０上に設置し、ＣＰＵ２２は被モニタリング物７０の警報信号モニター指令に対応して映像信号合成器２３に出力した時、同時に警報新党を出力して警報装置２０１を駆動させる。この警報装置は、警報ライトもしくはブザーであり、これにより、被モニタリング物に異常が発生した時、即座に警報音や光が発して盗難を防ぐ。
【００１３】
図５に示すとおり、映像信号合成器２３は、映像採取装置３０が採取した映像とＣＰＵ２２が受けた警報モニター指令受信する。この映像信号合成器２３は指令デコーダ２３１、映像信号カウンタ２３２、映像メモリ２３３、字形発射器２３４及び合成器２３５を含む。そのうち、指令デコーダ２３１は、ＣＰＵ２２から伝送された警報信号表示指令のコードを解読し、その解読結果が、ある画面上の座標値(Ｘ，Ｙ)表示を要求する。コード解読後、指示に基づき、字形発射器２３４で表示したい文字を出力する。例として○○美術品は異常に遭遇して搬送された等の字幕を表示し、更に映像信号カウンタ２３２で表示した画面の座標値を映像メモリ２３３に保存させる。この映像信号カウンタ２３２は、同時信号分離器２３６、垂直同時信号カウンタ２３７及び水平同時信号カウンタ２３８を含み、そこから映像採取装置３０が採取した映像を取り出して同時信号を発し、水平及び垂直信号に対してカウントし、そのカウント数の結果を映像メモリ２３３に保存する。このため、合成器２３５はその画面座標値に基づき、表示したい文字を合成して映像採取装置３０が採取した映像へ合成し、モニタリングセンターへ出力する。
【００１４】
図６に示すとおり、無線サーバ２１は、信号レーダ５０でもよく、その他異常信号入力があるかどうかを偵察する。図７に示す信号レーダ５０は、周波数サーバ５１、フィルタ５２、信号拡大器５３、直接転換サーバ５４、データコンバータ５５を含み、そのうち、周波数サーバ５１で外部の周波数信号を受信し、フィルタ５２で受信した周波数信号を濾過分離して信号拡大器５３へ伝送し、そこで信号拡大処理を行う。更に直接転換サーバ５４が拡大処理した周波数信号を受信し、その周波数信号を直接基礎周波数に転換する。データコンバータ５５は、レベル比較器５６を含み、そのうち、転換後の基礎周波数信号がレベル比較器５６へ出力された時、レベル設定値と比較し、転換後の基礎周波数信号がレベル設定値より大きい時、その基礎周波数信号をＣＰＵ２へ出力し、ＣＰＵ２２によって映像信号合成器２３を制御して異常信号文字の映像を結合してモニタリングセンター４０へ出力する。
【００１５】
この他、図８に示すとおり、本考案は、警報確認装置６０を含み、受信合成後の映像でも使用でき、この警報確認装置６０は同時信号分離器６１、レベルコンバータ６２、ＣＰＵ６３を含み、同時信号分離器６１が採取合成後画像の同時信号をＣＰＵ６３へ出力する。レベルコンバータ６２が被モニタリング物の変位距離を判断し、信号受信の強弱を判断する。更にＣＰＵ６３が同時信号分離器６１及びレベルコンバータ６２によって、映像信号合成器２３が出力した映像を被モニタリング物異常の映像信号として判断した時、ＣＰＵ６３が警告信号を警報装置６４へ出力し、警報装置６４を始動させる。警報装置は、ブザーもしくは警報ライトとし、音や光で警告する効果を具え、モニタリングセンター４０の作業者がモニター上の警報情報を見過ごしてしまうことから防止し、異常を即座に知らせる。
【図面の簡単な説明】
【００１６】
【図１】本考案実施例の操作環境指示図である。
【図２】本考案実施例の機能ブロックダイアグラムである。
【図３】本考案無線トランスミッション機能ブロックダイアグラムである。
【図４】本考案の無線サーバの機能ブロックダイアグラムである。
【図５】本考案映像信号合成器の機能ブロックダイアグラムである。
【図６】本考案別の実施例の機能ブロックダイアグラムである。
【図７】本考案の信号レーダの機能ブロックダイアグラムである。
【図８】本考案警報確認装置の機能ブロックダイアグラムである。
【符号の説明】
【００１７】
１０  無線トランスミッション    ２０  信号処理装置      ７０  被モニタリング物
１１  変位センサー              １２  エンコーダ        １３  発射回路
１４  電源装置            ３０  映像採取装置        ４０  モニタリングセンター
２１  無線サーバ              ２３  映像信号合成器          ２２  ＣＰＵ
２４  電源装置                ２１１  サーバ回路            ２１２  デコーダ
２３１  コマンドデコーダ      ２３２  映像信号カウンタ      ２３３  映像メモリ
２３４  字形発射器            ２３６  同時信号セパレータ    ２３５  合成器
２３７  垂直同時信号カウンタ          ２３８  水平同時信号カウンタ
６０  警報確認装置        ６１  同時信号セパレータ      ６２  レベルコンバータ
６３  ＣＰＵ                ６４  警報装置                ５０  信号レーダ
５１  発射器サーバ          ５２  フィルタ                ５３  信号拡大器
５４  直接転換サーバ        ５５  データコンバータ        ５６  レベル比較器
【図１】
0003118587.tif 000003
【図２】
0003118587.tif 000004
【図３】
0003118587.tif 000005
【図４】
0003118587.tif 000006
【図５】
0003118587.tif 000007
【図６】
0003118587.tif 000008
【図７】
0003118587.tif 000009
【図８】
0003118587.tif 000010